(57)【要約】      （修正有）【課題】ファイル本体に譜面台等の書見台に固定出来るようにし、ファイルと譜面台等の書見台を一体化することにより安定して固定が可能であり、譜面、収納ポケットのページの風による捲れを防ぐファイルを提供する。【解決手段】樹脂製の表紙部ａと樹脂製の内側ファイルｂの上部、又は上部、側面部を溶着にて固定する。内側ファイルｂと透明樹脂製の帯ｄを溶着にて固定する。これにより、表紙部ａと内側ファイルｂを譜面台等の書見台ｅに挟み固定出来る。又、譜面収納透明ポケットｃを透明樹脂製の帯ｄに挟み込む事によって、ページの捲れを防止し、譜面台等の書見台に安定して固定することが出来る。【選択図】図５
0003153043.tif 000002
【実用新案登録請求の範囲】
【請求項１】
表紙部と内側のファイルには収納ポケットを備えた、厚さの異なる2枚の樹脂製ファイルの上部又は上部、両側面部を溶着する事で、山折形状、もしくはファイル底面部を開放した形状とし、譜面台等の書見台を挟み込むことにより、譜面台等にファイルを固定し、ファイルが閉じない機構を特徴とした二枚重ね構造の収納ポケット付きファイル。
【請求項２】
内側ファイルには左右両端に上部、下部を溶着した透明樹脂製の帯を設け、収納
ポケットを保持する構造とした、請求項１に記載の二枚重ね構造の収納ポケット
付きファイル。
【請求項３】
表紙部と内部のファイルに折り目を付けることで通常のファイル同様、折り畳み式
構造とした請求項１又は２に記載の二枚重ね構造の収納ポケット付きファイル。
【請求項４】
内部ファイルに設けた収納ポケットは見開き左側のポケットは右側面を開放、
右側のポケットは左側面を開放し、Ａ４、Ａ３の用紙を収納出来る構造とした
請求項１又は２又は３に記載の二枚重ね構造の収納ポケット付きファイル。
【考案の詳細な説明】
【技術分野】
【０００１】
本考案は、譜面台等の書見台に固定しファイルを開いた状態を保持する事が可能で
あり、且つ内部の収納ポケットを固定する機構を設ける事でページの捲れを防止する
ファイルに関するものである。
【背景技術】
【０００２】
従来、譜面を使用する場合、譜面をサイズごとにファイルに分けた物や、印刷した用紙を譜面台等の書見台に設置している場合が多い。ページが捲れるのを防ぐ為、クリップで固定、若しくは譜面台に設けられた捲れ防止器具を使用している。又、演奏会等では観客からの見栄えを考慮し、譜面ファイルとは別に専用の目隠しボードを別途購入している。
【考案の開示】
【考案が解決しようとする課題】
【０００３】
譜面、ファイル等の固定が安定しない、又、演奏順に並べられない、ファイルが自力で閉じたり、ページが捲れたり、曲ごとにファイルを入れ替える必要があり演奏が一時中断する。その他、演奏会等での観客からの見栄えは重要事項である為、解決すべき課題である。収納に関しても譜面のサイズは各々異なる為、統一されたサイズのファイルである必要がある。
【課題を解決するための手段】
【０００４】
本考案は、ファイル本体を譜面台等の書見台に挟み込み、譜面ファイルを固定出来るよう、表紙部（図１）-（ａ）と内側ファイル（図1）-（ｂ）の二枚重ね形状にする事で固定の安定と観客からの見栄えの統一感を図り、透明樹脂製の帯（図１）-（ｄ）を内側ファイル（図1）-（ｂ）の両端上部、下部に溶着し内側ファイルの譜面収納ポケット（図1）-（ｃ）を固定する機構を持たせている。又、表紙部（図１）-（ａ）と内側ファイル（図１）-（ｂ）に折り目を付けることで一般的なファイルと同様、折畳め収納できる機構を持たせることで、前述の問題点を解決している。
【考案の効果】
【０００５】
上述の様に、本考案の書見台固定機能付二枚重ねファイルは譜面台等の書見台に固定出来ることにより、譜面ファイルを確実に固定することが出来る。
【０００６】
内側ファイルに設けた収納ポケットは横から譜面を入れる為、Ａ４、Ａ３のどちらのサイズも収納し、且つ、演奏順に収納することが可能である。
【０００７】
内側ファイルの収納ポケットを固定する透明樹脂製の帯を設けることで、譜面を入れた収納ポケットが風や自力により捲れる事を防ぎ、演奏に支障をきたす事を防いでいる。又、固定は帯に挟み込む構造の為ページを捲るのも容易である。
【０００８】
表紙部には印刷、ステッカー等を用いて、バンド名、イラスト等を表示できる為
演奏会等で観客からの見栄えを統一することが可能である。
【０００９】
表紙部と内側ファイルに折り目を付け通常のファイルと同様折り畳める事で、本棚に収納する事が可能であり、且つ持ち運びにも便利な形状である。
【考案を実施するための最良の形態】
【００１０】
内側ファイルには譜面を横から収納出来る透明のポケットを設け、透明樹脂製の帯を内側ファイルの両端上部、下部に溶着し、内側ファイルより一回り大きく、多少厚めの表紙との上部又は、上部、両側面を溶着し、表紙部、内側ファイルに折り目を付けることで実現している。
【実施例】
【００１１】
以下、添付図面に従って一実施例を説明する。（図１）-（a）は樹脂製の外側表紙、（図１）-（ｂ）は樹脂製の内側ファイルで、表紙部（図１）-（ａ）と内側ファイル図１-（ｂ）は上部又は上部、両端部を溶着にて固定されている。このため下側は、開いており自由に、譜面台等の書見台に挟み込むことが可能である。収納ポケット（図１）-（ｃ）の見開き左ページは右側面を開放、右ページは左側面を開放したクリアな透明ポケットを内側ファイル（図１）-（ｂ）に溶着している。透明樹脂製の帯（図１）-(ｄ）を（図１）-（ｂ）内側ファイルに上下部のみ溶着し（図１）-(ｃ）を挟み込み固定する事で風等でのページ捲れを防止し、譜面台等の書見台に固定出来る。
【００１２】
表紙部（図２）-（ａ）と内側ファイル（図２）-(ｂ）で、譜面台の譜面置き（図２）-（ｅ）を挟み込む事で譜面台に固定する事が可能であり、且つファイルが自力で閉じてしまうのを防ぐ。
【００１３】
表紙部（図３）-（ａ）は観客から見える部分であり、演奏者がこの部位の色を統一させる、若しくはバンド名、イラスト等を印刷、ステッカーを添付する等で観客からの見栄えを向上させる。
【００１４】
表紙部（図４）-（ａ）、内側ファイル（図４）-(ｂ）に折り目（図４）-（ｆ）を付けることで、通常のファイル同様折りたため、コンパクトに収納、持ち運びが可能となっている。
【図面の簡単な説明】
【００１５】
【図１】本考案である書見台固定機能付二枚重ねファイルの斜視図である。
【図２】本考案である書見台固定機能付二枚重ねファイルの譜面台等の書見台に取り付けた時の側面図である。
【図３】本考案である書見台固定機能付二枚重ねファイルの譜面台等の書見台に取り付けた時の背面図である。
【図４】本考案である書見台固定機能付二枚重ねファイルの折畳んだ状態の斜視図である。
【図５】本考案である書見台固定機能付二枚重ねファイルの譜面台等の書見台に取り付けた時の斜視図である。
【符号の説明】
【００１６】
（ａ）表紙部
（ｂ）内側ファイル
（ｃ）クリアポケット
（ｄ）透明樹脂製の帯
（ｅ）譜面台等の書見台の譜面置き
（ｆ）折り目
【図１】
0003153043.tif 000003
【図２】
0003153043.tif 000004
【図３】
0003153043.tif 000005
【図４】
0003153043.tif 000006
【図５】
0003153043.tif 000007